(57)【要約】【解決手段】ソケット組立体（１４）は、照明器具の基部に実装するために提供される。ソケット組立体は、基部側（５４）、クリップ側（５０）、及び基部側からクリップ側に延びる側壁（４６）を有するソケットハウジング（３６）を具備する。ソケットハウジングの基部側は、照明器具の基部に実装されるよう構成される。ソケットハウジングは、その内部に延びるリセプタクル（６２）を具備する。ＬＥＤ（１８）は、ソケットハウジングのリセプタクル内に保持される。ソケット組立体は、ストラップ（７２）、及びストラップから延びるアーム（７４）を有する実装クリップ（３８）をさらに具備する。ストラップは、ソケットハウジングのクリップ側上に延びると共にクリップ側と係合する。アームは、ストラップからソケットハウジングの側壁に沿って外方へ延びると共に、基部上にソケットハウジングを保持するために照明器具の基部と係合するよう構成される。
2013529359.tif 000002
【特許請求の範囲】
【請求項１】
照明器具（１０）の基部（１２）に実装するためのソケット組立体（１４）であって、
前記ソケット組立体は、
基部側（５４）、クリップ側（５０）、及び前記基部側から前記クリップ側に延びる側壁（４６）を有するソケットハウジング（３６）であって、該ソケットハウジングの前記基部側は、前記照明器具の前記基部に実装されるよう構成され、該ソケットハウジングは、その内部に延びるリセプタクル（６２）を具備するソケットハウジングと、
前記ソケットハウジングの前記リセプタクル内に保持されるＬＥＤ（１８）と、
ストラップ（７２）、及び該ストラップから延びるアーム（７４）を有する実装クリップ（３８）と
を具備し、
前記ストラップは、前記ソケットハウジングの前記クリップ側上に延びると共に該クリップ側と係合し、
前記アームは、前記ストラップから前記ソケットハウジングの前記側壁に沿って外方へ延びており、前記照明器具の前記基部上に前記ソケットハウジングを保持するために前記基部と係合するよう構成されることを特徴とするソケット組立体。
【請求項２】
前記実装クリップの前記アームは、前記ストラップからフック（８４）まで外方へ延びており、
前記フックは、前記ソケットハウジングを前記基部に保持するために、前記照明器具の前記基部のフランジ（１１６）と係合するよう構成されていることを特徴とする請求項１記載のソケット組立体。
【請求項３】
前記実装クリップの前記アームは、前記照明器具の前記基部と係合し係合解除するよう弾性的に撓むことができることを特徴とする請求項１記載のソケット組立体。
【請求項４】
前記ソケットハウジングは、前記クリップ側から外方へ延びる対向する整列部材（６０）を具備し、
前記ソケットハウジングの前記クリップ側の前記整列部材の間には溝（５６）が区画され、
前記実装クリップの前記ストラップは、前記溝内に受容されることを特徴とする請求項１記載のソケット組立体。
【請求項５】
前記アームは第１アームであり、
前記ソケットハウジングの前記側壁は第１側壁であり、
前記ソケットハウジングは、前記基部側から前記クリップ側に延びる第２側壁を具備し、
前記第１側壁は、前記実装クリップの前記ストラップの一端から外方へ延びており、
前記実装クリップは、前記ストラップの反対側の端から外方へ延びる第２アームをさらに具備し、
前記第２アームは、前記ストラップから前記ソケットハウジングの前記第２側壁に沿って外方へ延びると共に、前記基部に前記ソケットハウジングを保持するために前記照明器具の前記基部と係合するよう構成されていることを特徴とする請求項１記載のソケット組立体。
【請求項６】
前記実装クリップの前記アームは、前記ストラップから前記側壁に沿って前記ソケットハウジングの前記基部側を越えて外方へ延びることを特徴とする請求項１記載のソケット組立体。
【請求項７】
前記リセプタクルは、前記基部側を通って前記ソケットハウジング内に延びており、
前記ソケットハウジングは、前記ＬＥＤを露出させるために前記リセプタクルと流体連結された状態で前記クリップ側を貫通する開口（６４）をさらに具備することを特徴とする請求項１記載のソケット組立体。
【請求項８】
前記ソケットハウジングは、対向する両端を具備し、
前記実装クリップは、前記両端の一方近傍で前記ソケットハウジング上に延びており、
前記ソケット組立体は、前記両端の他方近傍で前記ソケットハウジング上を延びると共に前記照明器具の前記基部と係合するよう構成された別の実装クリップをさらに具備することを特徴とする請求項１記載のソケット組立体。
【請求項９】
前記ソケット組立体は、前記ＬＥＤ及び印刷回路基板（３５）を有するＬＥＤパッケージ（３０）をさらに具備し、
前記ＬＥＤは前記印刷回路基板に実装され、
前記ＬＥＤパッケージは前記リセプタクル内に保持されていることを特徴とする請求項１記載のソケット組立体。
【発明の詳細な説明】
【技術分野】
【０００１】
本発明はＬＥＤソケット組立体に関する。
【背景技術】
【０００２】
半導体照明システムは、発光ダイオード（ＬＥＤ）等の半導体光源を使用し、白熱ランプ又は蛍光ランプ等の他のタイプの光源を使用する他の照明システムに置換するために使用される。半導体光源は、迅速な点灯、迅速な循環（オン−オフ−オン）回数、長寿命、低消費電力、所望の色にするためのカラーフィルタの必要がない狭い発光帯域等の、ランプを凌駕する利点を提供する。
【発明の開示】
【発明が解決しようとする課題】
【０００３】
ＬＥＤ照明システムは、印刷回路基板（ＰＣＢ）に半田付けされるＬＥＤを有することがある。このとき、ＰＣＢは、照明器具の基部（例えば、ヒートシンク）上に実装される。公知のＬＥＤ照明システムにおいて、照明器具の基部にＰＣＢ又はＬＥＤを実装するために、機械的ハードウエアや接着剤が使用される。具体的には、ＰＣＢは、ねじ、リベット、接着剤、両面テープ、エポキシ樹脂又は半田を用いて照明器具の基部に実装される。ＬＥＤに電力を供給するために、電線がＰＣＢに半田付けされる。しかし、照明器具の基部に実装し、ＬＥＤに電力を供給するためのこのような公知の方法は、不都合がないわけではない。例えば、機械的ハードウエアや接着剤を用いて照明器具の基部にＰＣＢを実装することは、時間がかかり、ＬＥＤ照明システムの組立コストを上昇させるおそれがある。電線をＰＣＢに半田付けすることも時間がかかるので、高コストな方法である。さらに、電線及びＰＣＢの半田接続は、要求レベルよりも信頼性が低い。
【０００４】
問題は、ＬＥＤやＰＣＢを交換する必要があるときに生ずる。例えば、交換は面倒であり、ＬＥＤやＰＣＢの取外し及び交換するために熟練者を必要とする。
【課題を解決するための手段】
【０００５】
解決手段は、照明器具の基部に実装するためのソケット組立体により提供される。ソケット組立体はソケットハウジングを具備する。ソケットハウジングは、基部側、クリップ側、及び基部側からクリップ側に延びる側壁を有する。ソケットハウジングの基部側は、照明器具の基部に実装されるよう構成される。ソケットハウジングは、その内部に延びるリセプタクルを具備する。発光ダイオード（ＬＥＤ）は、ソケットハウジングのリセプタクル内に保持される。ソケット組立体は実装クリップをさらに具備する。実装クリップは、ストラップ、及びストラップから延びるアームを有する。ストラップは、ソケットハウジングのクリップ側上に延びると共にクリップ側と係合する。アームは、ストラップからソケットハウジングの側壁に沿って外方へ延びており、基部上にソケットハウジングを保持するために照明器具の基部と係合するよう構成される。
【図面の簡単な説明】
【０００６】
【図１】照明器具の典型的な一実施形態を示す斜視図である。
【図２】照明器具のソケット組立体の典型的な一実施形態を示す、図１の照明器具の一部の分解斜視図である。
【図３】図２に示されたソケット組立体のソケットハウジングの典型的な一実施形態の斜視図である。
【図４】図２に示されたソケット組立体の実装クリップの典型的な一実施形態の斜視図である。
【図５】図１の５−５線に沿った照明器具の断面図である。
【図６】図１に示された照明器具の一部の拡大断面図である。
【図７】図２に示されたソケット組立体のソケットハウジングの別の典型的な実施形態の断面図である。
【図８】ソケット組立体の電力コネクタの典型的な一実施形態を示す、図２のソケット組立体の一部の分解斜視図である。
【発明を実施するための形態】
【０００７】
以下、添付図面を参照して、例示により本発明を説明する。
【０００８】
一実施形態において、照明器具の基部に実装するためのソケット組立体が提供される。このソケット組立体はソケットハウジングを具備する。ソケットハウジングは、基部側、クリップ側、及び基部側からクリップ側に延びる側壁を有する。ソケットハウジングの基部側は、照明器具の基部に実装されるよう構成される。ソケットハウジングは、その内部に延びるリセプタクルを具備する。発光ダイオード（ＬＥＤ）は、ソケットハウジングのリセプタクル内に保持される。ソケット組立体は実装クリップをさらに具備する。実装クリップは、ストラップ、及びストラップから延びるアームを有する。ストラップは、ソケットハウジングのクリップ側上に延びると共にクリップ側と係合する。アームは、ストラップからソケットハウジングの側壁に沿って外方へ延びており、基部上にソケットハウジングを保持するために照明器具の基部と係合するよう構成される。
【０００９】
別の実施形態において、照明器具は、基部と、基部に実装されたソケット組立体とを具備する。ソケット組立体はソケットハウジングを具備する。ソケットハウジングは、基部側、クリップ側、及び基部側からクリップ側に延びる側壁を有する。ソケットハウジングの基部側は、基部に実装される。ソケットハウジングは、その内部に延びるリセプタクルを具備する。発光ダイオード（ＬＥＤ）は、ソケットハウジングのリセプタクル内に保持される。ソケット組立体は実装クリップをさらに具備する。実装クリップは、ストラップ、及びストラップから延びるアームを有する。ストラップは、ソケットハウジングのクリップ側上に延びると共にクリップ側と係合する。アームは、ストラップからソケットハウジングの側壁に沿って外方へ延びており、基部及びストラップ間の基部上にソケットハウジングを保持するために基部と係合する。
【００１０】
別の実施形態において、照明器具の基部に実装するためのソケット組立体が提供される。このソケット組立体はソケットを具備し、ソケットはハウジング及び実装構造を有する。ハウジングは、照明器具の基部に実装されるよう構成された基部側を有する。リセプタクルがハウジング内に延びる。実装構造は、ソケットを基部に取外し可能に実装するためにスナップ係合接続部で照明器具の基部と係合するよう構成された弾性な可撓アームを具備する。発光ダイオード（ＬＥＤ）は、ソケットのハウジングのリセプタクル内に保持される。
【００１１】
図１は、照明器具１０の典型的な一実施形態の斜視図である。照明器具１０は、基部１２、基部１２に実装された複数のソケット組立体１４、及び基部１２に実装されたオプションのレンズ１６を具備する。各ソケット組立体１４は、光を発する１個以上の発光ダイオード（ＬＥＤ）１８（図２及び図５参照）を具備する。以下に説明するように、ソケット組立体１４は、基部１２上にソケット組立体１４を取外し可能に実装するためにスナップ係合接続部で基部１２と係合する実装構造（例えば、以下で説明する実装クリップ３８）を用いて基部１２に実装される。
【００１２】
基部１２は、一端２０から反対側の他端２２まで所定長さで延びる。任意であるが、基部１２は、ＬＥＤ１８を放熱するよう構成されたヒートシンクである。レンズ１６は、レンズ１６が各ソケット組立体１４上に延びるように、一端２０から他端２２まで基部１２に沿って延びる。典型的な実施形態において、レンズ１６は、基部１２及びソケット組立体１４が図１のレンズ１６を通って見えるのに十分な半透明である。照明器具１０のレンズ１６及び基部１２間の内部空間を封止するために、基部１２の一端２０及び他端２２には端キャップ２４又は他の適当な構造物が任意で設けられる。
【００１３】
照明器具１０は、電源（図示せず）から照明器具１０に電力を供給する主電力ケーブル２６を具備する。典型的な実施形態において、主電力ケーブル２６は、一端２０で基部１２に供給され、一端２０に最も近いソケット組立体１４ａに電気接続される。基部１２の長さに沿って他端２２に向かって進むと、次に続くソケット組立体１４の各々は、互いに隣接するソケット組立体１４の間を延びると共にそれらソケット組立体１４を電気接続する別体の対応するケーブル（図示せず）を介して、前の隣接するソケット組立体１４に電気接続される。或いは、各ソケット組立体１４は、主電力ケーブル２６から分岐する、対応するケーブル、電気コネクタ等を介して、主電力ケーブル２６から電力を受ける。
【００１４】
照明器具１０の典型的な実施形態は、一般に「棒ライト（light bar）」と称されるものである。というのは、基部１２が細長く、ＬＥＤ１８が基部１２の長さに沿って連続的に配置されているからである。照明器具１０は、住居用、商用や産業用の照明に使用される。照明器具１０は、汎用の照明として使用されてもよいし、或いは、特注用途、最終使用等を有してもよい。照明器具１０用の典型的な使用の一つは、例えば食料品店、スーパーマーケット、コンビニエンスストア等で食品や飲料品のディスプレーケースに照明を当てることである。
【００１５】
図２は、１個のソケット組立体１４の典型的な一実施形態を示す照明器具１０の一部の分解斜視図である。図２には、ソケット組立体１４に加えて、基部１２及びレンズ１６の一部も見える。ソケット組立体１４は、ソケット２８、ソケット２８に保持された発光ダイオード（ＬＥＤ）パッケージ３０、オプションのレンズ３２、及びオプションの放熱パッド３４を具備する。ソケット２８は、ソケットハウジング３６と、基部１２にソケットハウジング３６を取外し可能に保持する実装クリップ３８とを具備する。典型的な実施形態において、ＬＥＤパッケージ３０は、印刷回路基板（ＰＣＢ）３５と、ＰＣＢ３５に実装された１個のＬＥＤ１８とを具備する。或いは、ＬＥＤ１８がＰＣＢ３５に実装されず、この結果、ＬＥＤパッケージ３０がＰＣＢ３５を有さなくてもよい。単一のＬＥＤ１８のみがＰＣＢ３５に実装されて図示されているが、ＰＣＢ３５に任意の数のＬＥＤ３５が実装されてもよい。ＰＣＢ３５は、ＰＣＢ３５に実装されるＬＥＤ１８の数に依存して適切な寸法に設定される。
【００１６】
図３は、ソケットハウジング３６の典型的な一実施形態の斜視図である。ソケットハウジング３６は、一端４０から反対側の他端４２まで所定長さで延びており、上壁４４と、上壁４４の対応する縁から延びる両側壁４６とを具備する。上壁４４の外面４８は、ソケットハウジング３６のクリップ側５０を画定する。両側壁４６は、上壁４４からソケットハウジング３６の基部側５４を画定する端面５２まで外方へ延びる。このため、各側壁４６は、ソケットハウジング３６のクリップ側５０から基部側５４まで延びる。ソケットハウジング３６の基部側５４は、基部１２（図１、図２、図５及び図６参照）と係合した状態で基部１２上に実装されるよう構成される。任意であるが、ソケットハウジング３６は、以下に説明するように、内部に実装クリップ３８（図２、図４、図５及び図６参照）のストラップ（図２及び図４参照）を受容する整列溝５６を有する。各整列溝５６は、ソケットハウジング３６の上壁４４上にそれぞれ外方へ延びる対向する整列部材６０の対応する対の間に区画される。
【００１７】
ソケットハウジング３６は、内部にＬＥＤパッケージ３０（図２及び図５参照）を受容するリセプタクル６２を具備する。具体的には、リセプタクル６２は、基部側５４が開放されてＬＥＤパッケージ３０を受容するよう構成されるように、基部側５４を通ってソケットハウジング３６内に延びる。リセプタクル６２は、上壁４４の内面及び側壁４６の内面により境界が定められる。開口６４は、ソケットハウジング３６のクリップ側５０を通ってリセプタクル６２内に延びる。具体的には、開口６４がリセプタクル６２と流体連結されるように、開口６４は上壁４４を完全に貫通する。以下に説明するように、ＬＥＤ１８が開口６４を通して発光するように、開口６４はＬＥＤ１８（図２及び図３参照）を露出させる。別の一実施形態において、リセプタクル６２は、クリップ側５０を通って、より具体的には上壁４４を通ってソケットハウジング３６内に延び、ソケットハウジング３６の下壁（図示せず）により境界が定められてもよい。
【００１８】
任意であるが、ソケットハウジング３６は、リセプタクル６２内の所定位置にＬＥＤパッケージ３０を保持するために、ＬＥＤパッケージ３０と係合する１個以上の固定構造６６を具備する。典型的な実施形態において、固定構造６６は、リセプタクル６２内に延びると共にＰＣＢ３５（図２及び図５参照）の対応する開口７０（図２参照）に受容されるよう構成されたペグ６８を具備する。任意であるが、ペグ６８は、開口７０内に圧入で受容される。２個のペグ６８が図示されているが、ソケットハウジング３６は、任意の数のペグ６８を有してもよい。さらに、ペグ６８及び開口７０に加えて、任意の他の適当な固定構造６６を設けてもよい。
【００１９】
ソケットハウジング３６は、任意のワイヤマネージャ７１を具備する。ワイヤマネージャ７１は、主電力ケーブル２６（図１参照）、隣接するソケット組立体１４から延びるケーブル（図示せず）や、主電力ケーブル２６から分岐したケーブル（図示せず）の部分を保持するよう構成されている。典型的な実施形態において、ソケットハウジング３６は、平行六面体の全体形状になるよう上壁４４に結合する４枚の側壁４６を具備する。しかし、ソケットハウジング３６は、任意の数の側壁４６を有してもよいし、他の任意の全体形状を有してもよい。本明細書において、各側壁４６は、「第１側壁」や「第２側壁」と称されることがある。
【００２０】
図４は、１個の実装クリップ３８の典型的な一実施形態の斜視図である。実装クリップ３８は、ストラップ７２と、ストラップ７２から延びるアーム７４とを有する。ストラップ７２は、一端７６から反対側の他端７８まで所定長さで延びる。一方のアーム７４はストラップ７２の一端７６から外方へ延びるのに対し、他方のアーム７４はストラップ７２の他端７８から外方へ延びる。典型的な実施形態において、ストラップ７２は、中央区分８０と、中央区分８０の両端から延びる２個の外側区分８２とを有する。図４に見られるように、外側区分８２は、中央区分８０に対して傾斜している。別の実施形態では、一方又は双方の外側区分８２は、中央区分８０に対して傾斜していないが、代わりに中央区分８０に対してほぼ共平面に延びてもよい。各外側区分８２は、中央区分８０に対して任意の角度で中央区分８０から延びてもよい。ストラップ７２の中央区分８０に対する外側区分８２の角度は、アーム７４に所定の弾性撓み量を与えるよう選択されてもよい。アーム７４は、本明細書では「第１アーム」や「第２アーム」と称されることがある。
【００２１】
実装クリップ３８の各アーム７４は、ストラップ７２からフック８４まで外方へ延びる。各アーム７４は、ストラップ７２から一端８８まで所定長さで延びる主区分８６を有する。アーム７４の主区分８６の一端８８からは、タブ９０が外方へ延びる。フック８４は、タブ９０と、一端８８を含むアーム７４の主区分８６の一部とにより画定される。或いは、一方又は双方のアーム７４のフック８４は、主区分８６の長さに沿った異なる位置、例えば主区分８６の一端８８から離れた位置に配置されてもよい。タブ９０は、一端８８を含む主区分８６の一部に対して所定角度αで延びる。典型的な実施形態において、タブ９０の角度αは鋭角である。しかし、タブ９０の角度αは、一端８８を含む主区分８６の一部に対して直角又は鈍角であってもよい。
【００２２】
実装クリップ３８のアーム７４は、基部１２にソケットハウジングを保持するために照明器具１０（図１、図２、図５及び図６参照）の基部１２（図１、図２、図５及び図６参照）と係合するよう構成される。具体的には、アーム７４のフック８４は、基部１２のフランジ１１６（図２、図５及び図６参照）と係合するよう構成される。アーム７４は基部１２と係合し係合解除するよう弾性的に撓むことができ、この結果、アーム７４がスナップ係合接続部で基部１２と係合する。アーム７４を撓ませるために、実装クリップ３８は、ストラップ７２の両端７６，７８の間の界面、及び主区分８６で曲がる。加えて又は代わりに、実装クリップ３８はストラップ７２の中央区分８０及び外側区分８２の間の界面で曲がってもよいし、アーム７４の主区分８６はアーム７４を撓ませるために主区分８６の長さに沿って曲がってもよい。
【００２３】
実装クリップ３８のアーム７４は、互いに逆向きの縁９２，９４を有する。任意であるが、各アーム７４の主区分８６の一方の縁９２又は９４は、他方の縁９４又は９２よりも長い。これにより、実装クリップ３８のストラップ７２は、アーム７４の主区分８６の端８８に対して所定角度を向く。例えば、端８８は、図４では共通の平面９６内で整列して示される。ストラップ７２は、平面９６と平行に延びるのではなく、図４で明らかなように平面９６に対して傾斜する。典型的な実施形態において、各アーム７４の主区分８６の後縁９４は前縁９２より長い。従って、ストラップ７２がその前縁９８からその後縁１００まで進むにつれ、ストラップ７２は平面９６から上方へ離れる方向に傾斜する。端８８に対するストラップ７２の傾斜の方向及び量は、実装クリップ３８をソケットハウジング３６（図２及び図５参照）の輪郭と相補的な形状にするよう選択される。
【００２４】
図５は、図１の５−５線に沿った照明器具の断面図である。基部１２は、下壁１０２と、下壁１０２から上方へ延びるプラットフォーム１０４とを有する。プラットフォーム１０４は、下壁１０２からプラットフォーム１０４まで外方へ延びる両側壁１０６を有する。プラットフォーム壁１０８は、一端１１０から反対側の他端１１２まで所定幅で延びており、ソケットハウジング３６が実装されるよう構成される実装面１１４を有する。両側壁１０６は、対応する端１１０，１１２からプラットフォーム壁１０８の幅の中心の方へオフセットしている。両側壁１０６のオフセットは、以下に説明するように、実装クリップ３８のフック８４と係合するよう構成されたフランジ１１６を与える。実装面１１４とは逆向きのフランジ１１６のフック面１１８は、フック８４と係合するよう構成される。図５に見られるように、典型的な実施形態において、プラットフォーム１０４はＴ形状の断面輪郭を有する。プラットフォームの輪郭は、実装クリップ３８の形状と相補的である。加えて又は代わりに、プラットフォーム１０４は他の断面輪郭形状を有してもよい。
【００２５】
図２を再度参照すると、基部１２にソケット組立体１４を実装するために、ＬＥＤパッケージ３０は、基部１２のプラットフォーム１０４上に配置される。任意であるが、放熱パッド３４は、ＰＣＢ３５及びプラットフォーム１０４の実装面１１４の間に係合する。放熱パッド３４は、ＬＥＤ１８が発生する熱を基部１２を介して散逸させるよう構成される。ソケットハウジング３６は、ＬＥＤパッケージ３０がソケットハウジング３６のリセプタクル６２内に受容されるように、ＬＥＤパッケージ３０上に配置され、プラットフォーム１０４上に装填される。ソケットハウジング３６の基部側５４は、プラットフォーム１０４の実装面１１４と係合する。或いは、ＬＥＤパッケージ３０は、ソケットハウジング３６がプラットフォーム１０４上に装填される前に、ソケットハウジング３６のリセプタクル６２内に挿入してもよい。
【００２６】
典型的な実施形態において、各実装クリップ３８は、ソケットハウジング３６の端４０，４２の対応する一方付近のソケットハウジング３６上を延びる。実装クリップ３８のストラップ７２は、ソケットハウジング３６のクリップ側５０に沿ってストラップ７２を位置決め及び配向させるために、ソケットハウジング３６上の対応する整列溝５６内に延びる。図２から明らかなように、ストラップ７２の傾斜は、整列溝５６の位置でソケットハウジング３６の輪郭に合致する。
【００２７】
各実装クリップ３８のストラップ７２は、ソケットハウジング３６上に延びると共に、ソケットハウジング３６の上壁４４（延いてはクリップ側５０）と係合する。実装クリップ３８の各アーム７４は、対応するストラップ７２からソケットハウジング３６の対応する一方の側壁４６に沿って外方へ延びる。図２に見られるように、アーム７４は、対応するストラップ７２から、基部側５４を越えて、より具体的には端面５２を越えて対応する側壁４６に沿って外方へ延びる。
【００２８】
図６は、フック８４が基部１２と係合する際の一方の実装クリップ３８のフック８４の撓みを示す、照明器具１０の一部の拡大断面図である。実装クリップ３８が（ソケットハウジング３６と共に、又はソケットハウジング３６が基部１２上に装填された後に）基部１２上に装填されると、フック８４のタブ９０は、対応するフランジ１１６の肩１２０と係合する。肩１２０と係合することにより、実装クリップ３８のアーム７４は、図２、図４及び図５に示される位置から図６に示される位置までほぼ矢印Ａの向きに撓む。タブ９０の角度αは、肩１２０との係合により生ずるアーム７４の撓みを容易にするよう選択される。
【００２９】
実装クリップ３８のフック８４が実装面１１４を越えて矢印Ｂの向きにさらに進むと、タブ９０は、最終的にフランジ１１６の肩１２２を越える。このとき、アーム７４の弾性により、フック８４は、図２、図４及び図５に示される位置まで矢印Ｃの向きにスナップバック（スプリングバック）する。具体的には、図５を再度参照すると、実装クリップ３８のフック８４は、対応するフランジ１１６と係合する。実装クリップ３８のアーム７４の弾性により、フック８４は図５に示される位置まで（矢印Ｃの向きに）スプリングバックする。この位置では、フック８４のタブ９０は、フランジ１１６のフック面１１８に係止する。フック８４及びフック面１１８の係止により実装クリップ３８が基部１２に連結するので、ソケット組立体１４が基部１２に連結する。上述したフック８４のスナップ動作は、実装クリップ３８及び基部１２のスナップ係合接続部を与え、これにより、ソケット組立体１４及び基部１２のスナップ係合接続部を与える。ソケット組立体１４を基部１２から取り外すために、実装クリップ３８のアーム７４は矢印Ａの向きに撓むことができ、この結果、フック８４は肩１２２（図６参照）を越える。これにより、実装クリップ３８を基部１２から除去することができる。
【００３０】
実装クリップ３８は、上述し図示したように基部１２に実装されると、基部１２のプラットフォーム１０４及びストラップ７２（図２及び図４参照）の間のプラットフォーム１０４上にソケット組立体１４を保持する。ＬＥＤパッケージ３０がソケットハウジング３６の上壁４４及び基部１２のプラットフォーム１０４の実装面１１４の間に挟まれるように、ＬＥＤパッケージ３０は、ソケットハウジング３６のリセプタクル６２内に保持される。ＬＥＤ１８は、ソケットハウジング３６内で開口６４を通って発光するために露出する。任意であるが、実装クリップ３８は、放熱パッド３４、ＬＥＤパッケージ３０、及び基部１２の実装面１１４間を良好に係合させるために、基部１２にほぼ向かう向きに（すなわち、矢印Ｂの向きに）ソケットハウジング３６を加圧する。
【００３１】
図２を再度参照すると、実装クリップ３８に加えて又は代えて、ソケット組立体１４は、他の機械的ハードウエアを用いて、又は、ねじ、リベット、接着剤、両面テープ、エポキシ樹脂、半田等が挙げられるが、これらに限定されない接着剤を用いて基部１２上に保持してもよい。２個の実装クリップ３８が図示されているが、基部１２にソケット組立体１４を保持するためには、任意の数の実装クリップ３８を用いてもよい。各実装クリップ３８は、ソケットハウジング３６上の任意の位置の上に延びる。例えば、典型的な実施形態において、実装クリップ３８のアーム７４は、ソケットハウジング３６の長さに沿って延びる側壁４６ａ，４６ｂ上に延びる。従って、実装クリップ３８の典型的な実施形態のストラップ７２は、ソケットハウジング３６の長さに対してほぼ直交する向きに配向される。或いは、１個以上の実装クリップ３８のストラップ７２の長さは、アーム７４がソケットハウジング３６の側壁４６ｃ，４６ｄの上を延びた状態で、ソケットハウジング３６の長さに対してほぼ平行に延びてもよい。また、１個以上の実装クリップ３８のストラップ７２の長さがソケットハウジング３６の長さに対して傾いて延び、アーム７４が側壁４６ａ，４６ｂの上を延びるか又は側壁４６ｃ，４６ｄの上を延びる実施形態も考えられる。別の実施形態において、例えば、ソケットハウジング３６の長さの中央に沿って延びる、又はソケットハウジング３６の端４０及び４２の一方近傍に延びる単一の実装クリップ３８のみが設けられる。
【００３２】
図７は、ソケット組立体１４（図１、図２、図５及び図８参照）のソケットハウジング２３６の別の典型的な実施形態の断面図である。ソケットハウジング２３６はソケットハウジング３６（図２及び図５参照）と同様である。しかし、ソケット組立体１４の実装クリップ３８（図２、図４、図５及び図６参照）がソケットハウジング３６とは別個の部品であるのに対し、ソケットハウジング２３６はソケットハウジング２３６と一体形成された実装構造２３８を具備する。
【００３３】
ソケットハウジング２３６は、上壁２４４と、上壁２４４の対応縁から延びる両側壁２４６とを具備する。側壁２４６は、上壁２４４からソケットハウジング２３６の基部側２５４を画定する端面２５２まで外方に延びる。ソケットハウジング２３６の基部側２５４は、基部１２（図１、図２、図５及び図６参照）と係合状態で基部１２に実装するよう構成される。ソケットハウジング２３６は、ＬＥＤパッケージ３０（図２及び図５参照）を内部に受容するリセプタクル２６２を具備する。リセプタクル２６２は、基部側２５４を通ってソケットハウジング２３６内に延びる。ＬＥＤ１８（図２及び図５参照）を露出させるために、開口２６４がソケットハウジング２３６の上壁２４４を貫通してリセプタクル２６２内に延びる。
【００３４】
ソケットハウジング２３６の実装構造２３８は、側壁２４６の端面２５２から基部側２５４に沿って外方に延びるアーム２７４を具備する。アーム２７４は、例えば、成形工程、機械加工工程、鋳造工程等を用いてソケットハウジング２３６の残余部分と一体形成される。典型的な実施形態において、アーム２７４は、ソケットハウジング２３６の残余部分と同じ材料で形成される。或いは、アーム２７４は、ソケットハウジング２３６の残余部分とは異なる１以上の材料で形成され、ソケットハウジング２３６の形成工程の前又は形成工程中にソケットハウジング２３６の残余部分に合体されてもよい。例えば、別の一実施形態において、アーム２７４は、金属材料で形成され、ソケットハウジング２３６の残余分を形成するのに用いられる成形工程の前又は成形工程中にソケットハウジング２３６の残余部分に挿入されてもよい。さらに別の実施形態は、ソケットハウジング２３６と一体形成されないアーム２７４を具備し、代わりに、ソケットハウジング２３６が形成された後にソケットハウジング２３６に機械的に連結されてもよい。
【００３５】
各アーム２７４は、対応する端面２５２からフック２８４まで外方へ延びる。フック２８４は、基部１２のフック面１１８（図５及び図６参照）に係合するタブ２９０を具備する。実装クリップ３８のアーム７４（図２、図４、図５及び図６参照）と同様に、アーム２７４は、基部１２のフランジ１１６（図２、図５及び図６参照）にスナップ係合接続部で係止するよう構成される。具体的には、アーム２７４のフック２８４は、実装クリップ３８について上述したのとほぼ同様の方法で、基部１２のフック面１１８と係合し係合解除するよう弾性的に撓むことができる。
【００３６】
図２を再度参照すると、ソケット組立体１４はオプションのレンズ３２を具備する。レンズ３２は、所定の方法（例えば、色、屈折率等）でＬＥＤ１８が発する光を調整するよう構成される。レンズ３２は、１個以上の実装部材１２４を用いてソケットハウジング３６に実装される。典型的な実施形態において、実装部材１２４は、ソケットハウジング３６の上壁４４内に延びる穴１２６を具備する。穴１２６は、レンズ３２の底側１２９に沿って外方へ延びるペグ（図示せず）を受容する。任意であるが、ペグは、圧入で穴１２６内に受容される。３個の穴１２６が図示されているが、ソケットハウジング３６は任意の数の穴１２６を有してもよい。また、穴１２６及びペグ以外に、他の適当な実装部材１２４を設けてもよい。
【００３７】
典型的な実施形態において、オプションのレンズ１６も設けられる。典型的な実施形態において、レンズ１６は、レンズ３２と同様に、所定の方法（例えば、色、屈折率等）でＬＥＤ１８が発する光を調整するよう構成される。レンズ１６は、ソケット組立体１４を水分、埃、ゴミや他の汚染物から保護するために、ソケット組立体１４上に延びる保護バリアを追加で又は代わって設けてもよい。照明器具１０の基部１２は、基部１２にレンズ１６を保持するレール１２８を具備する。具体的には、レンズ１６は、レール１２８に連結する連結部材１３０を具備する。各連結部材１３０は、基部１２にレンズ１６を保持するためにレール１２８を把持する、互いに対向するアーム１３１を具備する。任意であるが、アーム１３１は、連結部材１３０がスナップ係合接続部を用いてレールに連結するように、弾性的に撓むことができる。加えて又は代わりに、連結部材１３０は、基部１２からレール１２８上を摺動する。
【００３８】
ＬＥＤパッケージ３０は、ＬＥＤ１８を駆動する電力を受けるために、ＰＣＢ３５上に複数の電力コンタクト１３２を具備する。典型的な実施形態において、電力コンタクト１３２は、ＰＣＢ３５の対応する一縁近傍に配置される。任意の数の電力コンタクト１３２が設けられてもよい。ソケット組立体１４は、電力コンタクト１３２に結合された電力コネクタ１３４を具備する。電力コネクタ１３４は、電源（図示せず）から電力コンタクト１３２に電力を供給するよう構成される。
【００３９】
図８は、電力コネクタ１３４の典型的な一実施形態を示す、ソケット組立体１４の一部の分解斜視図である。各電力コネクタ１３４は、ソケットハウジング３６内に形成されたポート１３６と、ポート１３６内に配置された１個以上の個別の嵌合コンタクト１３８とを具備する。ポート１３６は、主電力ケーブル２６（図１参照）に接続するプラグ１４０（図２参照）を受容するよう構成される。プラグ１４０は、隣接するソケット組立体１４から延びるケーブル（図示せず）に接続するか、又は主電力ケーブル２６から分岐したケーブル（図示せず）に接続する。ソケットハウジング３６は、ポート１３６からリセプタクル６２へ上壁４４内を延びるコンタクト溝１４２を有する。嵌合コンタクト１３８は、コンタクト溝１４２を貫通してＰＣＢ３５（図２参照）上の電力コンタクト１３２（図２参照）と係合する嵌合先端１４４を具備する。或いは、嵌合先端１４４は、ＬＥＤ１８（図２及び図５参照）の電力コンタクト（図示せず）と係合する。また、嵌合コンタクト１３８は、プラグ１４０がポート１３６に受容される際にプラグ１４０と嵌合するピン１４６を具備する。
【符号の説明】
【００４０】
１０    照明器具
１２    基部
１４    ソケット組立体
１８    ＬＥＤ
３０    ＬＥＤパッケージ
３５    印刷回路基板
３６    ソケットハウジング
３８    実装クリップ
４６    側壁
５０    クリップ側
５４    基部側
５６    整列溝（溝）
６０    整列部材
６２    リセプタクル
６４    開口
７２    ストラップ
７４    アーム
８４    フック
１１６  フランジ
【図１】
2013529359.tif 000003
【図２】
2013529359.tif 000004
【図３】
2013529359.tif 000005
【図４】
2013529359.tif 000006
【図５】
2013529359.tif 000007
【図６】
2013529359.tif 000008
【図７】
2013529359.tif 000009
【図８】
2013529359.tif 000010
【国際調査報告】
2013529359.tif 000011
2013529359.tif 000012
2013529359.tif 000013